(57)【要約】【課題】透光パネルが枠部から外れ難く且つ透光パネルが外れた場合にも枠部に容易に再度取り付けることができる照明器具を提供する。【解決手段】枠部２は、各側片３０，３１の端部を長手方向に亘って内側に湾曲して成る断面略Ｕ字状の第１の嵌合部３０ａ及び第２の嵌合部３１ａを有する第１のフレーム３と、各側片３０，３１との間でそれぞれ透光パネル１ａ，１ｂの側面を挟持する第１の挟持片５０及び第２の挟持片５１を有する押さえ金具５と、透光パネル１ａ，１ｂの端部と各々当接する第１の当接片４０及び第２の当接片４１を有する長尺の第２のフレーム４とから成り、各嵌合部３０ａ，３１ａと各当接片４０，４１と各挟持片５０，５１との間に透光パネル１ａ，１ｂの厚み寸法よりも小さくない幅寸法を有するとともに透光パネル１ａ，１ｂの端部が挿入される溝部６を形成した。【選択図】図１
2009026608.tif 000002
【特許請求の範囲】
【請求項１】
光源が収納される箱状の器具本体を備え、器具本体が、透光性材料から成る平板状の一乃至複数の透光パネルと、透光パネルの一方向に沿った両端部に設けられて透光パネルを保持する一乃至複数の枠部とから構成される照明器具であって、枠部は、長尺の板状部材を長手方向と直交する断面が略Ｌ字状となるように折曲して成るとともに、両端部を各々長手方向に亘って内側に湾曲して成る断面略Ｕ字状の嵌合部を有する第１のフレームと、第１のフレームとの間で透光パネルの側面を挟持する一対の挟持片、及び各挟持片と連結されるとともに固定ねじが挿通する第１のねじ挿通孔が貫設された取付片から成る押さえ金具と、透光パネルの前記端部と当接する一対の当接片、及び各当接片の一方の端部と連結するとともに第１のねじ挿通孔と連通する第２のねじ挿通孔が貫設された連結片、及び各当接片の他方の端部から各々突出するとともに嵌合部に嵌合する一対の嵌合片から成る長尺の第２のフレームとから成り、押さえ金具の取付片を連結片に固定ねじで取り付けることで嵌合部と当接片と挟持片とで透光パネルの厚み寸法よりも小さくない幅寸法を有するとともに透光パネルの前記端部が挿入される溝部が形成されることを特徴とする照明器具。
【請求項２】
前記嵌合片は、その一端部が当接片に当接するとともに、他端部と嵌合部の内壁との成す角度が鋭角となるように他端部が嵌合部の内壁に当接することを特徴とする請求項１記載の照明器具。
【発明の詳細な説明】
【技術分野】
【０００１】
本発明は、照明器具に関する。
【背景技術】
【０００２】
従来から、壁面に直付けされるウォールライトとして用いられる照明器具が提供されており、例えば特許文献１に開示されている。以下、このような照明器具の従来例について説明する。この従来例は、図４（ａ）に示すように、内部に光源（図示せず）及びソケット（図示せず）を収納する略直方体状の器具本体Ａと、器具本体Ａの背面に配置されて光源に点灯電力を供給する安定器（図示せず）を内部に収納する器具本体Ａよりも寸法の小さい略直方体状の点灯ブロックＢとから成り、器具本体Ａは、透光性材料から成る平板状の３つの透光パネル１と、透光パネル１の一方向に沿った両端部に設けられて透光パネル１を保持する４つの枠部１００とから構成される。
【０００３】
枠部１００は、アルミニウムから成り、図４（ｂ）に示すように、長尺の板状部材を長手方向と直交する断面が略Ｌ字状となるように折曲して成る第１の側片１０１及び第２の側片１０２と、第１の側片１０１の端部から第２の側片１０２と対向するように突出する第１の突出片１０３、及び第２の側片１０２の端部から第１の側片１０１と対向するように突出する第２の突出片１０４と、第１の側片１０１及び第２の側片１０２が連結する角部から対角方向に突設される支持片１０５と、支持片１０５の端部において対角方向に開口した断面略Ｕ字状の溝１０５ａと、溝１０５ａと連通する第１のねじ孔１０６ａが貫設された弾性材料から成る平板状のパッキン１０６と、溝１０５ａ及び第１のねじ孔１０６ａと連通する第２のねじ孔１０７ａが貫設された平板状の押さえ金具１０７とから構成され、各枠部１００に２つの透光パネル１の端部が保持される。
【０００４】
以下、透光パネル１の枠部１００への取付方法について説明する。先ず第１の側片１０１と略平行に配設された第１の透光パネル１ａの一方の側面を第１の突出片１０３の端部に当接させるとともに、第２の側片１０２と略平行に配設された第２の透光パネル１ｂの一方の側面を第２の突出片１０４の端部に当接させる。次に、押さえ金具１０７の第２のねじ孔１０７ａに挿通した固定ねじＳを、パッキン１０６の第１のねじ孔１０６ａを介して溝１０５ａに螺合することで、押さえ金具１０７及びパッキン１０６を支持片１０５に取り付ける。而して、パッキン１０６の両端部が撓んで断面略Ｖ字状に折曲され、各透光パネル１ａ，１ｂの他方の側面に当接することで、各透光パネル１ａ，１ｂが第１の突出片１０３及び第２の突出片１０４とパッキン１０６との間に挟持固定される。
【特許文献１】特開２０００−２７６９１５号公報
【発明の開示】
【発明が解決しようとする課題】
【０００５】
しかしながら、上記従来例では、第１の突出片１０３又は第２の突出片１０４とパッキン１０６との間で各透光パネル１ａ，１ｂを挟持しているが、第１の突出片１０３及び第２の突出片１０４が外力によって撓み易く、運搬時の振動等によって透光パネル１が枠部から外れてしまう虞があった。また、透光パネル１が一度外れると、パッキン１０６の撓みが復帰することで透光パネル１が挿入される開口が塞がれてしまい、透光パネル１を再度枠部１００に取り付ける場合には一度パッキン１０６を外さなければならず、施工性が悪化するという問題があった。
【０００６】
本発明は、上記の点に鑑みて為されたもので、透光パネルが枠部から外れ難く且つ透光パネルが外れた場合にも枠部に容易に再度取り付けることができる照明器具を提供することを目的とする。
【課題を解決するための手段】
【０００７】
請求項１の発明は、上記目的を達成するために、光源が収納される箱状の器具本体を備え、器具本体が、透光性材料から成る平板状の一乃至複数の透光パネルと、透光パネルの一方向に沿った両端部に設けられて透光パネルを保持する一乃至複数の枠部とから構成される照明器具であって、枠部は、長尺の板状部材を長手方向と直交する断面が略Ｌ字状となるように折曲して成るとともに、両端部を各々長手方向に亘って内側に湾曲して成る断面略Ｕ字状の嵌合部を有する第１のフレームと、第１のフレームとの間で透光パネルの側面を挟持する一対の挟持片、及び各挟持片と連結されるとともに固定ねじが挿通する第１のねじ挿通孔が貫設された取付片から成る押さえ金具と、透光パネルの前記端部と当接する一対の当接片、及び各当接片の一方の端部と連結するとともに第１のねじ挿通孔と連通する第２のねじ挿通孔が貫設された連結片、及び各当接片の他方の端部から各々突出するとともに嵌合部に嵌合する一対の嵌合片から成る長尺の第２のフレームとから成り、押さえ金具の取付片を連結片に固定ねじで取り付けることで嵌合部と当接片と挟持片とで透光パネルの厚み寸法よりも小さくない幅寸法を有するとともに透光パネルの前記端部が挿入される溝部が形成されることを特徴とする。
【０００８】
請求項２の発明は、請求項１の発明において、嵌合片は、その一端部が当接片に当接するとともに、他端部と嵌合部の内壁との成す角度が鋭角となるように他端部が嵌合部の内壁に当接することを特徴とする。
【発明の効果】
【０００９】
請求項１の発明によれば、第１のフレームの嵌合部と第２のフレームの当接片と押さえ金具の当接片との間に透光パネルの厚み寸法よりも小さくない幅寸法を有するとともに透光パネルの端部が挿入される溝部を形成し、嵌合部が第１のフレームの端部を内側に湾曲して成るので、第１のフレームが外力によって撓むのを防ぐことができ、したがって透光パネルが外れるのを防止することができる。また、仮に透光パネルが外れた場合でも、溝部が変形することがないので、押さえ金具を取り外すことなく再度透光パネルを容易に取り付けることができる。
【００１０】
請求項２の発明によれば、嵌合片が嵌合部の内壁に当接して嵌合部が撓まないように補強するので、透光パネルが外れるのを防止することができる。
【発明を実施するための最良の形態】
【００１１】
以下、本発明に係る照明器具の実施形態について図面を用いて説明する。本実施形態の基本的構成は従来例と同様であって、図１（ａ）に示すように、内部に光源（図示せず）及びソケット７を収納する略直方体状の器具本体Ａと、器具本体Ａの背面に配置されて光源に点灯電力を供給する安定器８を内部に収納する器具本体Ａよりも寸法の小さい略直方体状の点灯ブロックＢとから成り、器具本体Ａは、透光性材料から成る平板状の３つの透光パネル１と、透光パネル１の一方向に沿った両端部に設けられて透光パネル１を保持する４つの枠部２とから構成される。
【００１２】
枠部２は、図１（ａ），（ｂ）に示すように、長尺の板状部材を長手方向と直交する断面が略Ｌ字状となるように折曲して成る第１の側片３０及び第２の側片３１、並びに各側片３０，３１の端部を長手方向に亘って内側に湾曲して成る断面略Ｕ字状の第１の嵌合部３０ａ及び第２の嵌合部３１ａから成る第１のフレーム３と、第１の側片３０との間で第１の側片３０と略平行に配設される第１の透光パネル１ａの側面を挟持する第１の挟持片５０、及び第２の側片３１との間で第２の側片３１と略平行に配設される第２の透光パネル１ｂの側面を挟持する第２の挟持片５１、並びに各挟持片５０，５１と連結されるとともに固定ねじＳが挿通する略円形状の第１のねじ挿通孔５２ａが貫設された取付片５２から成る押さえ金具５と、各透光パネル１ａ，１ｂの前記端部と各々当接する第１の当接片４０及び第２の当接片４１、並びに各当接片４０，４１の一方の端部と連結するとともに第１のねじ挿通孔５２ａと連通する略円形状の第２のねじ挿通孔４２ａが貫設された連結片４２、並びに各当接片４０，４１の他方の端部から各々突出するとともに各嵌合部３０ａ，３１ａに嵌合する第１の嵌合片４３及び第２の嵌合片４４から成る長尺の第２のフレーム４とから構成される。尚、第１のフレーム３及び第２のフレーム４は何れも鋼板から成り、また、各ねじ挿通孔４２ａ，５２ａの内周面には固定ねじＳが螺合する雌ねじ部（図示せず）が設けられている。
【００１３】
以下、枠部２の組立方法及び透光パネル１ａ，１ｂの取付方法について説明する。先ず、第１のフレーム３の長手方向における一方の端部から第２のフレーム４の長手方向における一方の端部を挿入してスライドすることで、第１のフレーム３の各嵌合部３０ａ，３１ａに第２のフレームの各嵌合片４３，４４を嵌合させる。その後、第１のねじ挿通孔５２ａと第２のねじ挿通孔４２ａが重なるように押さえ金具５の取付片５２を第２のフレーム４の連結片４２に当接させ、固定ねじＳを各ねじ挿通孔４２ａ，５２ａに挿通して螺合することで枠部２が完成する（図２参照）。
【００１４】
ここで、押さえ金具５の取付片５２を連結片４２に固定ねじＳで取り付けることで、第１の嵌合部３０ａと第１の当接片４０と第１の挟持片５０との間、及び第２の嵌合部３１ａと第２の当接片４１と第２の挟持片５１との間に透光パネル１ａ，１ｂの厚み寸法よりも小さくない幅寸法を有するとともに透光パネル１ａ，１ｂの前記端部が挿入される溝部６がそれぞれ形成される。而して、透光パネル１ａ，１ｂの前記端部をこれらの溝部６に挿入することで透光パネル１ａ，１ｂが枠部２に取り付けられる。
【００１５】
尚、各嵌合部３０ａ，３１ａは断面略Ｕ字状に湾曲しているため、透光パネル１ａ，１ｂを各溝部６に挿入する際に該湾曲面に透光パネル１ａ，１ｂの前記端部が案内され、透光パネル１ａ，１ｂを容易に取り付けることができる。また、各嵌合片４３，４４は、それぞれ一端部が各当接片４０，４１に当接するとともに、他端部と各嵌合部３０ａ，３１ａの内壁との成す角度が鋭角となるように他端部が各嵌合部３０ａ，３１ａの内壁に当接している。このように、各嵌合片４３，４４が各嵌合部３０ａ，３１ａの内壁に当接することで、各嵌合部３０ａ，３１ａが撓まないように補強することができ、したがって透光パネル１ａ，１ｂが各溝部６から外れるのを防止することができる。
【００１６】
器具本体Ａの長手方向における両端部には、図３（ａ）に示すように、それぞれ一面を開口した略直方体状のエンドカバー９が取り付けられる。枠部２の第１のフレーム３は、第２のフレーム４よりも長手方向の寸法が大きくなるように形成されており、第１のフレーム３における第２のフレーム４が取り付けられない両端部にはエンドカバー９の角部が載置される幅寸法ｌの載置部３ａが設けられている。尚、載置部３ａには、エンドカバー９の角部を載置する際の邪魔となるために嵌合部３０ａ，３１ａは設けられていない。而して、エンドカバー９の各角部の外側面を各枠部２の載置部３ａの内面に当接させた後に、エンドカバー９の角部と載置部３ａとをスポット溶接することでエンドカバー９が枠部２に取り付けられる（図３（ｂ）参照）。尚、図３（ａ）では透光パネル１及び押さえ金具５を省略しているが、実際には、各枠部２に上述のように押さえ金具５を取り付け、各溝部６に透光パネル１の前記端部を挿入した後にエンドカバー９を取り付けることで器具本体Ａが完成する。
【００１７】
上述のように第１の嵌合部３０ａと第１の当接片４０と第１の挟持片５０との間、及び第２の嵌合部３１ａと第２の当接片４１と第２の挟持片５１との間に透光パネル１ａ，１ｂの厚み寸法よりも小さくない幅寸法を有するとともに透光パネル１ａ，１ｂの前記端部が挿入される溝部６を形成し、各嵌合部３０ａ，３１ａがそれぞれ第１の側片３０及び第２の側片３１の端部を内側に湾曲して成るので、第１のフレーム３が外力によって撓むのを防ぐことができ、したがって透光パネル１ａ，１ｂが外れるのを防止することができる。また、仮に透光パネル１ａ，１ｂが外れた場合でも、従来例と比べて溝部６が変形することがないので、押さえ金具５を取り外すことなく再度透光パネル１ａ，１ｂを容易に溝部６に挿入して取り付けることができる。
【図面の簡単な説明】
【００１８】
【図１】本発明の照明器具の実施形態を示す図で、（ａ）は側方から見た断面図で、（ｂ）は要部断面図である。
【図２】同上の要部斜視図である。
【図３】同上の器具本体の説明図で、（ａ）は一部省略した分解斜視図で、（ｂ）は組立後の器具本体の一部斜視図である。
【図４】従来の照明器具を示す図で、（ａ）は全体斜視図で、（ｂ）は要部断面図である。
【符号の説明】
【００１９】
１  透光パネル
２  枠部
３  第１のフレーム
３０  第１の側片
３１  第２の側片
３０ａ，３１ａ  嵌合部
４  第２のフレーム
４０  第１の当接片
４１  第２の当接片
４２  連結片
４２ａ  第２のねじ挿通孔
４３  第１の嵌合片
４４  第２の嵌合片
５  押さえ金具
５０  第１の挟持片
５１  第２の挟持片
５２  取付片
５２ａ  第１のねじ挿通孔
６  溝部
Ａ  器具本体
Ｓ  固定ねじ
【図１】
2009026608.tif 000003
【図２】
2009026608.tif 000004
【図３】
2009026608.tif 000005
【図４】
2009026608.tif 000006